(57)【要約】      （修正有）【課題】  ホルダー本体とは別途形成した刃体を接着剤を用いずともホルダー本体の所定位置に組み付けることが出来る巻きテープ用ホルダーを提供する。【解決手段】  ホルダー本体及び刃体は紙材から形成され、ホルダー本体における連結壁部と左右対向壁部の一端には、これら連結壁部及び左右対向壁部の壁面に重合可能な重合片が折り畳み可能に設けられると共に、連結壁部と重合片との境界には刃体の刃部を外部に突出させるための突出口が設けられ、重合片の遊端には、刃体の突出口から退入する方向への移動を規制する規制片が折り畳み可能に一体形成され、また重合片と刃体のいずれか一方には係合孔が設けられ、他方には前記係合孔に係合可能な係合突片が設けられ、前記係合突片の前記係合孔への係合により、刃体を重合片に係止するようにした。【選択図】  図１
2006341934.tif 000002
【特許請求の範囲】
【請求項１】
巻きテープを回転可能に支持するためのホルダー本体と、巻きテープを切断するための刃体とから構成され、ホルダー本体は、巻きテープの左右側部にそれぞれ沿う左右一対の対向壁部と、これら左右対向壁部を所定間隔開けてほぼ平行に連結するための連結壁部とが備えられ、刃体は前記連結壁部の一端に取り付けられる巻きテープ用ホルダーにおいて、ホルダー本体及び刃体は紙材から形成され、ホルダー本体における連結壁部と左右対向壁部の一端には、これら連結壁部及び左右対向壁部の壁面に重合可能な重合片が折り畳み可能に設けられると共に、連結壁部と重合片との境界には刃体の刃部を外部に突出させるための突出口が設けられ、重合片の遊端には、刃体の突出口から退入する方向への移動を規制する規制片が折り畳み可能に一体形成され、また重合片と刃体のいずれか一方には係合孔が設けられ、他方には前記係合孔に係合可能な係合突片が設けられ、前記係合突片の前記係合孔への係合により、刃体を重合片に係止するようにしていることを特徴とする巻きテープ用ホルダー。
【発明の詳細な説明】
【技術分野】
【０００１】
本発明は、いわゆる両面テープと称されている粘着テープの巻きテープを保持するためのホルダーに関する。
【背景技術】
【０００２】
粘着テープの巻きテープは、帯状の粘着テープを同じく帯状の剥離紙の表面に貼り付けたものをリング状に巻いて形成されており、この粘着テープの巻きテープは、所定長さにカットするのに便利なように、刃体を備えたホルダーに回転可能に取り付けられいるのが一般的である。
【０００３】
ところで、このホルダーにおいて、巻きテープを回転可能に支持するホルダー本体が従来のようにプラスチック材から形成されたものや、刃体が金属材料から形成されたものでは、使用後にホルダーを廃棄処分する際、焼却処理が行なえないし、また廃棄時にホルダー本体と刃体とを分離する必要も生じる。
【０００４】
そこで、本願出願人は、ホルダー本体及びカッターを焼却可能な紙から形成したホルダーを開発しようとしたのであるが、刃体はその機能上、一般的な厚紙から形成されるホルダー本体とは異なる特別の圧縮紙から別途形成しなければならず、そのため、別に形成される刃体をホルダー本体に組み付ける必要がある。
【０００５】
刃体をホルダー本体に組み付ける方法としては、刃体をホルダー本体の所定位置に接着剤により貼り付ける方法が考えられるが、接着剤による組み付け方法は手間を要するものである。
【特許文献１】実開平４−２１３３３号
【発明の開示】
【発明が解決しようとする課題】
【０００６】
本発明は以上の実情に鑑みて開発したものであって、目的とするところは、ホルダー本体とは別途形成した刃体を接着剤を用いずともホルダー本体の所定位置に組み付けることが出来る巻きテープ用ホルダーを提供することにある。
【課題を解決するための手段】
【０００７】
以上の目的を達成するため、請求項１に記載の発明は、巻きテープを回転可能に支持するためのホルダー本体と、巻きテープを切断するための刃体とから構成され、ホルダー本体は、巻きテープの左右側部にそれぞれ沿う左右一対の対向壁部と、これら左右対向壁部を所定間隔開けてほぼ平行に連結するための連結壁部とが備えられ、刃体は前記連結壁部の一端に取り付けられる巻きテープ用ホルダーにおいて、ホルダー本体及び刃体は紙材から形成され、ホルダー本体における連結壁部と左右対向壁部の一端には、これら連結壁部及び左右対向壁部の壁面に重合可能な重合片が折り畳み可能に設けられると共に、連結壁部と重合片との境界には刃体の刃部を外部に突出させるための突出口が設けられ、重合片の遊端には、刃体の突出口から退入する方向への移動を規制する規制片が折り畳み可能に一体形成され、また重合片と刃体のいずれか一方には係合孔が設けられ、他方には前記係合孔に係合可能な係合突片が設けられ、前記係合突片の前記係合孔への係合により、刃体を重合片に係止するようにしていることを特徴とするものである。
【発明の効果】
【０００８】
請求項１に記載の発明によれば、刃体をホルダー本体の所定位置にセットして、重合片を折り畳んだ上で、ホルダー本体を適宜組み立てることで、係合突片が係合孔に係合して、これにより刃体がホルダー本体に組みつけられ、接着剤を用いずとも刃体がホルダー本体から不用意に外れることがないのである。
【発明を実施するための最良の形態】
【０００９】
図に示すホルダー１は、剥離紙付粘着テ−プをリング状に巻いてなる巻きテープＴ（一般に両面テープと称されている。）用であって、このホルダー１は、巻きテープＴを回転可能に支持するためのホルダー本体２と、巻きテープＴを所定長さにカットする際に用いられる刃体３とから構成されている。
【００１０】
ホルダー本体２は厚紙から形成され、巻きテープＴの左右側部にそれぞれ沿う左右一対の対向壁部４ａ・４ｂと、これら左右対向壁部４ａ・４ｂを所定間隔開けてほぼ平行に連結するための短冊状の連結壁部４ｃとが備えられている。
【００１１】
そして相対向する左右対向壁部４ａ・４ｂ間には、左右両対向壁部４ａ・４ｂを連結して巻きテープＴを支持するための上側支持部５ａ及び下側支持部５ｂと、左右両対向壁４ａ・４ｂを所定間隔開けて連結保持するための保持部６とが設けられ、これら上側支持部５ａ及び下側支持部５ｂと保持部６とにより左右対向壁部４ａ・４ｂが連結されるようになっている。
【００１２】
具体的には、上側支持部５ａ及び下側支持部５ｂは、いずれも第１支持片５１ａ・５１ｂと、第２支持片５２ａ・５２ｂと、第１支持片５１ａ・５１ｂの先端に一体に形成されて、後記する挿通孔５４ａ・５４ｂに挿通される挿通片５３ａ・５３ｂとから構成されている。
【００１３】
上側支持部５ａの第１支持片５１ａと下側支持部５ｂの第２支持片５２ｂは、対向壁部４ａの中央に設けられた貫通孔４１ａの内周縁に対向状に一体形成され、上側支持部５ａの第２支持片５２ａと下側支持部５ｂの第１支持片５１ｂは、対向壁部４ｂの中央に設けられた貫通孔４１ｂの内周縁に対向状に一体形成され、挿通孔５４ａ・５４ｂは、対向壁部４ａ・４ｂと各第２支持片５２ａ・５２ｂとの境界に形成されている。
【００１４】
保持部６も、第１保持片６１と、第２保持片６２と、第１保持片６１の先端に一体に形成されて、後記する挿通孔６４に挿通される挿通片６３とから構成され、第１保持片６１は、対向壁部２ｂの外周縁における連結壁部４ｃ近くに一体形成され、第２保持片６２は、対向壁部２ａの外周縁における連結壁部４ｃ近くに一体形成され、挿通孔６４は、対向壁２ａと第２保持片６２との境界に形成されている。
【００１５】
またホルダー本体２における連結壁部４ｃと左右対向壁部４ａ・４ｂの一端には、これら連結壁部４ｃ及び左右対向壁部４ａ・４ｂの内壁面に重合可能な重合片４ｄが折り畳み可能に設けられると共に、この重合片４ｄと連結壁部４ｃと重合片との境界には、刃体３の後記する刃部３１を外部に突出させるための矩形状の突出口４１が設けられている。
【００１６】
そして重合片４ｄの遊端には、刃体３が突出口４１から退入する方向に移動するのを規制するするための規制片４ｅが折り畳み可能に一体形成されるとともに、この重合片４ｄ    には、後記する刃体３の係合突片３２が嵌合可能な一対の係合孔４２が設けられている。
【００１７】
一方、刃体３は非常に硬い特殊な圧縮紙（例えば北越製紙株式会社製の商品名「バルカナイスドファイバー）から成り、その一端部には略鋸歯状の刃部３１が一体形成されると共に、他端側の両側には、前述の係合孔４２に嵌合可能な係合突片３２が一体形成されている。
【００１８】
刃部３１の幅Ｗ１は、連結壁部４ｃの幅Ｗ２とほぼ同一にしている。
【００１９】
尚、図１において点線で示すラインは折り曲げラインであって、この折り曲げラインで各構成部材を折り曲げるようにしている。
【００２０】
以上の刃体３をホルダー本体２に組み付けるには、図２に示すように、展開されたホルダー本体２の規制片４ｅを重合片４ｄの内面と重なり合うように先ず折り畳んた上で、刃体３の他端部を規制片４ｅと重合片４ｄとの間に介装すると共に、係合突片３２が係合孔４２と対向するように刃体３を重合片４ｄの内面に載せる。
【００２１】
続いて図３に示すように、刃体３と共に重合片４ｄを連結壁部４ｃ及び左右対向壁部４ａ・４ｂの内面側に重なり合うように折り畳む。
【００２２】
そして図４に示すように、巻きテープＴを一方の対向壁部４ａの内面側に載せた後、第１支持片５１ａ・５１ｂ、第２支持片５２ａ・５２ｂ及び第１、第２保持片６１・６２を対向壁部２ａ・２ｂに対して折り曲げ、また挿通片５３ａ・５３ｂ・６３を第１支持片５１ａ・５１ｂ及び第２保持片６１に対して折り曲げる。
【００２３】
次に、もう一方の対向壁部４ｂを折り曲げて巻きテープＴの側面に重ねると共に、第１支持片５１ａ・５１ｂを第２支持片５２ａ・５２ｂ上に重ね合わせ、続いて、図５に示すように、挿通片５３ａ・５３ｂを挿通孔５４ａ・５４ｂに挿通し、また第１保持片６１も第２保持片６２上に重ね合わせた後、挿通片６３を挿通孔６４に挿通する。
【００２４】
斯くして、左右対向壁部４ａ・４ｂが連結壁部４ｃに対してほぼ９０度折り曲げられるに伴い、重合片４ｄの両側部が左右対向壁部４ａ・４ｂの内壁面で押し込まれて、略Ｕ字状に折り曲げられると、重合片４ｄにおける連結壁部と重合している部位が、連結壁部４ｃの内壁面に近づく方向に強く押し込まれ、これにより、重合片４ｄの係合孔４２に刃体３の係合突起が嵌合し、刃体３が、ホルダー本体２に確実に組みつけられて、不用意にホルダー本体２から外れ落ちるようなことがないのである。
【００２５】
そして以上の手順によってホルダー１に装填された巻きテープＴは、左右対向壁部２ａ・２ｂ間において、上側支持部５ａと下側支持部５ｂとにより回転可能に支持されるのである。
【００２６】
以上の実施形態では、刃体３に係合突片３２を設けると共に、重合片４ｄに係合突片３２が嵌合可能な係合孔４２を設けたが、これに限定されるものではなく、例えば重合片４ｄに係合突片３２を設けると共に、刃体３に前記係合突片３２が嵌合可能な係合孔４２を設けてもよい。
【図面の簡単な説明】
【００２７】
【図１】本発明にかかるホルダーの展開図。
【図２】ホルダー本体に刃体を取り付ける作業過程を示す説明図。
【図３】ホルダー本体に刃体を取り付ける作業過程を示す説明図。
【図４】ホルダーに巻きテープを装填する作業過程を示す説明図。
【図５】ホルダーに巻きテープを装填する作業過程を示す説明図。
【図６】巻きテープを装填したホルダーの要部の拡大断面図。
【符号の説明】
【００２８】
１          ホルダー
２          ホルダー本体
３          刃体
３２        係合突片
４ａ・４ｂ  対向壁部
４ｃ        連結壁部
４ｄ        重合片
４ｅ        規制片
４１        突出口
４２        係合孔
６          保持部
Ｔ          巻きテープ
【図１】
2006341934.tif 000003
【図２】
2006341934.tif 000004
【図３】
2006341934.tif 000005
【図４】
2006341934.tif 000006
【図５】
2006341934.tif 000007
【図６】
2006341934.tif 000008